(57)【特許請求の範囲】
【請求項１】
地下掘削予定地の周囲地盤に低強度地中壁を構築した後、所定ピッチ間隔で該低強度地中壁を横断して鉄筋コンクリート製の地下バットレスを構築し、次いで前記地中壁で囲われた地域の地盤を掘削しつつ地中壁の壁面を支える腹起しを架設するにあたり、
前記地下バットレスの地下空間突出位置をアンカーとして前記腹起しを支持することを特徴とする低強度地中壁による山留方法。
【請求項２】
前記地下バットレスの地下空間突出位置側部に予め打ち継ぎ用凹部を形成するとともに、この凹部内に埋込み鉄筋を突設しておき、本設地下外壁構築時において、この鉄筋を介して地下バットレスと本設地下外壁との接合部を連結することを特徴とする請求項１記載の低強度地中壁による山留方法。
【請求項３】
前記腹起しの端部に相当する位置における前記地下バットレスの地下空間突出位置側部に欠き込みを形成し、該欠き込みに腹起しの端部を埋め込むことを特徴とする請求項１または２に記載の低強度地中壁による山留方法。
【発明の詳細な説明】
【０００１】
【発明の属する技術分野】
本発明は、ソイルセメント柱列壁などの低強度地中壁を用いた山留方法の改良に関する。
【０００２】
【従来の技術】
例えば、特公平５−１１１６６号公報には、地下掘削工事において、山留壁としてソイルセメント製の地中壁を用いた山留工法が開示されている。この山留方法にあっては、多軸オーガなどで地盤を柱列状に攪拌しつつ、攪拌された部分にセメントミルク等の固化剤を注入固化させたソイルセメント柱列を地中壁として用いこれの内側を掘削する方法であり、一般の鉄筋コンクリート製地中壁を用いた山留壁工法よりも安価であるといったメリットを有している。
【０００３】
【発明が解決しようとする課題】
しかしながら、ソイルセメント柱列は、鉄筋コンクリートに比べて強度が小さいため、大規模な工事では、図７に示すように、ソイルセメント製地中壁１で囲われた地下空間を掘削する時において、周囲の地盤Ｅの土圧に対向すべく地中壁壁１の露出側壁面を支保工により支える必要がある。この支保工としては、地中壁１の面に沿って配置される腹起し２、腹起し２，２間に直交配置される切梁３、及び腹起し２と切梁３との間に斜めに掛け渡される火打梁４からなるもので、いずれも鋼材が使用され、地中壁１の強度に応じたピッチ間隔で配置しなければならないため、多数の資材を必要とし、全体としてはコストが嵩むという欠点があった。
【０００４】
本発明は、以上の課題を解決するものであって、その目的は、安価なソイルセメント柱列壁などの低強度地中壁を採用した場合において、支保工のうちの少なくとも切梁を省略しても地中壁の自立性を維持できるようにした低強度地中壁による山留壁工法を提供するものである。
【０００５】
【課題を解決するための手段】
以上の目的を達成するため、本発明は、地下掘削予定地の周囲地盤に低強度地中壁を構築した後、所定ピッチ間隔で該低強度地中壁を横断して鉄筋コンクリート製の地下バットレスを構築し、次いで前記地中壁で囲われた地域の地盤を掘削しつつ地中壁の壁面を支える腹起しを架設するにあたり、前記地下バットレスの地下空間突出位置をアンカーとして前記腹起しを支持することを特徴とするものである。したがって、本発明方法によれば、低強度地中壁の自立のために切梁を配置することがなく、鋼材使用量を低減することができる。
【０００６】
また、本発明においては、前記地下バットレスの地下空間突出位置側部に予め打ち継ぎ用凹部を形成するとともに、この凹部内に埋込み鉄筋を突設しておき、本設地下外壁構築時において、この鉄筋を介して地下バットレスと本設地下外壁との接合部を連結することにより、打ち継ぎ部の加工が簡素化する。
【０００７】
さらに、本発明においては、前記腹起しの端部に相当する位置における前記地下バットレスの地下空間突出位置側部に欠き込みを形成し、該欠き込みに腹起しの端部を埋め込むことにより、地下バットレスの地下空間突出長さを短くすることができる。
【０００８】
【発明の実施の形態】
以下、本発明の好ましい実施の形態につき、添付図面を参照して詳細に説明する。図１〜図４は本発明方法による施工手順を示すものである。
【０００９】
まず、図１に示すように、地盤Ｅ内にソイルセメント柱列からなる地中壁１０を構築する。地中壁１０は、多軸オーガ掘削機により地盤Ｅ内を柱列状に攪拌し、次いでセメントミルクを注入しつつ地盤Ｅ内より引抜き、セメントミルクの固化前に所定間隔で芯材１１を建て込み、セメントミルクが硬化することにより完成する。
【００１０】
なお、図中破線で示す地中壁１０を横断する地下バットレス構築予定位置においては地中壁１０を連続して構築することなく、一部が重複した状態に間隔を明けて形成する。また、同図では地中壁１０の一辺のみ描かれているが、掘削しようとする地下空間形状の周囲全体に形成される。
【００１１】
次に、図２に示すように、地下バットレス１２を地盤Ｅ内に構築する。この地下バットレス１２の構築方法は、一般の地中壁工法のように、ベントナイト泥水を使用して掘削溝壁の崩壊を防止しながら掘削機によって溝壁を構築し、鉄筋籠を建て込んだ後、トレミー管方式によって泥水とコンクリートとを置換することによって行われる。地下バットレス１２の構築ピッチ間隔は、ソイルセメント地中壁１０の強度に応じた間隔であるほか、本設地下構造物の躯体の一部を構成するためにその設計デザインに応じた間隔に設定される。
【００１２】
また、各地下バットレス１２の地下空間突出部の両側面には、図の一部に拡大して示すように、予め本設地下外壁との接合用に、凹状断面のＪＯＦ鉄板１４（特公昭４７−４７３３４号公報参照）が露出状態に一体化され、その内側には鉄筋籠１５の側部に延長する一対の打継ぎ用鉄筋１５ａが突出している。さらに、この地下バットレス１２の先端位置両側には火打梁受け用凹部１６が予め形成されている。
【００１３】
以上の構築作業の後、図３に示すように、地中壁１０で囲われた内部地下空間を掘削すると同時に、支保工の設置作業も平行して行う。本発明に係る支保工としては、地中壁１０の内側壁面に配置される腹起し１７とこれを支持する火打梁１８の組合わせのみにより行われ、従来用いられていた切梁は省略される。すなわち、火打梁１８の他端側は、地下バットレス１２の空間内突出部において前記凹部１６に支持される。
【００１４】
この支持位置においては、図の一部に拡大して示すように、凹部１６の内側に突出した一対のアンカーボルト１９に火打梁１８の端部フランジ１８ａを通し、アンカーボルト１９のフランジ１８ａからの突出端にナット２０をねじ込むことによって、火打梁１８の固定がなされる。
【００１５】
以上により、腹起し１７は十分な支持力により地中壁１０の側面に固定されて土圧に対向し、これによって切梁を省略したとしても、地中壁１０は山留壁としてその自立性を十分に維持できることになる。
【００１６】
地下空間掘削後は、図４に示すように、後打の躯体外壁コンクリート２１が打設され、地下バットレス１２と一体化される。このとき、図の一部に拡大して示すように、ＪＯＦ鉄板１４の位置において、打継ぎ用鉄筋１５ａを外壁コンクリート２１側の鉄筋に接続することで、両者の打ち継ぎ位置における鉄筋の接続を簡単におこなうことが出来る。
【００１７】
以上の説明においては、腹起しの支持部材として火打梁を使用する場合について説明したが、火打梁を設けず、腹起しの端部を地下バットレスの側面に設けた欠き込みに嵌合させて支持させるようにしてもよい。
【００１８】
その状態を図５及び図６に示す。図５は地下バットレス１２のコンクリート打設直前の状態であり、鉄筋籠１２ｃに付設した詰め物１２ａおよび鋼材１２ｂが設置されている。図６は、バットレスコンクリートが硬化した後であって、詰め物１２ａは除去され、その跡に腹起し１７が埋め込まれている。なお、欠き込み１２ａ′の縁に埋設された鋼材１２ｂは、縁の崩壊を防ぐ作用をなす。腹起し１７は鋼材またはプレキャストコンクリート部材のいずれでもよい。腹起し１７を撤去せず、外壁コンクリートと一体化することも可能である。
【００１９】
また、以上の説明においては、ソイルセメント地中壁について説明したが、他の低強度地中壁においても適用可能である。他の低強度地中壁の例としては、地中壁の構築にあたり、地盤を攪拌するのではなく掘削（土砂を排除）し、掘削孔内の泥水または自硬性安定液を固化させてなる地中壁がある。
【００２０】
【発明の効果】
以上の説明により明らかなように、本発明による低強度地中壁による山留方法によれば、安価なソイルセメント柱列壁などの低強度地中壁を採用した場合において、支保工のうちの少なくとも切梁を省略しても地中壁の自立性を維持でき、支保工に用いる鋼材の使用量を削減できる。
【図面の簡単な説明】
【図１】低強度地中壁の一例としてソイルセメント地中壁の施工状態を示す平面説明図である。
【図２】地下バットレスの施工状態を示す平面説明図である。
【図３】地下空間掘削と支保工の設置状態を示す平面説明図である。
【図４】地下バットレスと本設地下外壁との接合状態を示す平面説明図である。
【図５】地下バットレスと本設地下外壁との他の接合状態にしてコンクリート打設直前の状態を示す平面説明図である。
【図６】地下バットレスと本設地下外壁との他の接合状態にして腹起しが埋め込まれた状態を示す平面説明図である。
【図７】従来のソイルセメント地中壁を用いた山留方法を示す平面説明図である。
【符号の説明】
１０  ソイルセメント地中壁（低強度地中壁）
１２  地下バットレス
１２ａ′  欠き込み
１７  腹起し
１８  火打梁
１４  ＪＯＦ鉄板（凹部）
１５ａ  打継ぎ用鉄筋
２１  躯体外壁コンクリート
【図１】
0003659058.tif 000002
【図２】
0003659058.tif 000003
【図３】
0003659058.tif 000004
【図４】
0003659058.tif 000005
【図５】
0003659058.tif 000006
【図６】
0003659058.tif 000007
【図７】
0003659058.tif 000008